(57)【要約】  【課題】電源に異常が発生した場合に、装置内部の構成部品が暴走することを未然に防止することができる電源制御装置を提供する。  【解決手段】本発明の電源制御装置は、少なくとも１つの構成部品と、各々の構成部品の動作を制御する少なくとも１つの制御基板とを備える装置で用いられるもので、電源部と、電源部から出力される電源を、各々の構成部品および各々の制御基板に独立に供給する電源基板とを備える。電源基板は、電源基板から各々の制御基板に電源が供給されると、各々の制御基板から電源基板にフィードバックされる、各々の制御基板で使用される電源の正常状態／異常状態を表す信号に基づいて、電源基板から構成部品の各々に供給される電源の出力／出力停止を各々独立に制御する出力制御回路を備える。【選択図】  図６
2006035743.tif 000002
【特許請求の範囲】
【請求項１】
少なくとも１つの構成部品と、前記少なくとも１つの構成部品の動作を制御する少なくとも１つの制御基板とを備える装置で用いられる電源制御装置であって、
電源部と、この電源部から出力される電源を、前記少なくとも１つの構成部品の各々および前記少なくとも１つの制御基板の各々に独立に供給する電源基板とを備え、
前記電源基板は、当該電源基板から前記少なくとも１つの制御基板の各々に電源が供給されると、前記少なくとも１つの制御基板の各々から当該電源基板にフィードバックされる、前記少なくとも１つの制御基板の各々で使用される電源の正常状態／異常状態を表す信号に基づいて、当該電源基板から前記構成部品の各々に供給される電源の出力／出力停止を各々独立に制御する出力制御回路を備えていることを特徴とする電源制御装置。
【請求項２】
前記電源基板は、さらに、前記電源部から出力される電源とは別に、前記電源部から常時出力される補助電源で動作し、前記少なくとも１つの制御基板の各々で使用される電源の正常状態／異常状態を表す信号の状態を含む、前記装置内部の各種の状態を表示する状態表示回路を備えている請求項１に記載の電源制御装置。
【請求項３】
少なくとも１つの構成部品と、前記少なくとも１つの構成部品の各々の動作を制御する少なくとも１つの制御基板とを備える装置で用いられる電源制御装置であって、
電源部と、この電源部から出力される電源を、前記少なくとも１つの構成部品の各々および前記少なくとも１つの制御基板の各々に独立に供給する電源基板とを備え、
前記電源基板は、前記電源部から出力される電源とは別に、前記電源部から常時出力される補助電源で動作し、当該電源基板から前記少なくとも１つの制御基板の各々に電源が供給されると、前記少なくとも１つの制御基板の各々から当該電源基板にフィードバックされる、前記少なくとも１つの制御基板の各々で使用される電源の正常状態／異常状態を表す信号の状態を含む、前記装置内部の各種の状態を表示する状態表示回路を備えていることを特徴とする電源制御装置。
【請求項４】
前記状態表示回路は、前記装置内部の各種の状態を所定のカテゴリー別に色分けして表示するものである請求項２または３に記載の電源制御装置。
【請求項５】
前記装置は、前記構成部品として、画像データに応じて記録媒体を露光処理する露光ユニットと、前記記録媒体の搬送手段を含む、少なくとも１つの機械部品ユニットと、前記露光ユニットによって露光された記録媒体を現像処理する現像ユニットとを備え、前記制御基板として、前記露光ユニットの動作を制御する露光制御基板と、前記少なくとも１つの機械部品ユニットの各々および前記現像ユニットの動作を制御する少なくとも１つの機械部品制御基板とを備え、前記画像データに応じた画像が前記記録媒体上に記録された写真プリントを出力する画像記録装置である請求項１〜４のいずれかに記載の電源制御装置。
【発明の詳細な説明】
【技術分野】
【０００１】
本発明は、例えば記録媒体（印画紙）に写真をプリントする写真プリンタを含む、各種の装置で用いられる電源制御装置に関するものである。
【背景技術】
【０００２】
装置の電源系統に異常が発生した場合の安全対策としては、ＵＰＳ（無停電電源装置）が主流である。すなわち、ＵＰＳを備える装置では、異常が発生した場合に、電源がＵＰＳに切り替えられて装置が自動的にシャットダウンされ、誤動作等が防止される。しかし、例えばミニラボ等の写真プリンタは電源容量が大きく、大幅なコストアップになるので、ＵＰＳによる完全なバックアップを行うことには限界がある。
【０００３】
また、電源系統のトラブルでは、再現性のない症状が発生する場合がある。例えば、上記写真プリンタにおいて、レーザ光源によって印画紙を露光している時に、電源系統に瞬時停電などの異常が発生した場合、その時点で印画紙に描画されているプリント画像が正しく出力される保証はない。その結果、電源系統に異常が発生したことに気付かずに写真プリントが顧客に渡されると、顧客からクレームを受けることによって不具合が発覚することがある。
【０００４】
また、制御系統は正常であっても、電源系統が故障していることがある。これとは逆に、制御系統が故障して、電源系統だけが正常である場合の方が安全上は問題であり、装置内部の機械部品が暴走して装置にダメージを与える場合がある。
【０００５】
また、電源系統の異常は、その原因を特定するのが難しく、原因究明までには相当な時間を要することが多い。このため、異常が発生した場合には、電源装置、および異常発生時の現象に対応すると考えられる制御基板等を全て交換する場合がほとんどである。従って、これらの部品を交換するサービスマンの作業も大変であるし、異常発生の原因を特定することなく、対応する部品を全て交換するため、修理に要するコストも高くなるという問題があった。
【０００６】
これに対し、ソフトウェアを利用して電源系統の自己診断を行う手法が知られている。これは、装置の電源を投入した後に、装置上で動作する自己診断用のソフトウェアが起動して電源系統の自己診断を行い、その診断結果をディスプレイ等の表示装置に表示するものである。しかし、電源系統に異常が発生した場合には装置自体が起動しないため、ソフトウェアを利用した自己診断では、電源系統の異常発生の原因が特定できなかった。
【０００７】
なお、本発明の技術分野に関連する従来技術としては特許文献１がある。特許文献１は、電源の異常を監視する電源監視装置等に関するものである。特許文献１には、電源の電圧変動範囲とその電圧変動範囲内での電圧変動の継続時間を監視し、監視結果によって得られる電圧変動範囲と継続時間に基づいて、電源の電圧異常ランクを決定するための電圧異常ランクテーブルを参照して電源の電源異常ランクを決定し、決定された電源異常ランクを示す電源異常信号を電源の給電先へ出力することによって、給電先の動作を効率的に実行させることが開示されている。
【０００８】
【特許文献１】特開２００４−１１９５１６号公報
【発明の開示】
【発明が解決しようとする課題】
【０００９】
本発明の目的は、前記従来技術に基づく問題点を解消し、電源に異常が発生した場合に、装置内部の構成部品が暴走することを未然に防止することができる電源制御装置を提供することにある。また、本発明の別の目的は、電源に異常が発生した場合に、異常発生の原因の概略を特定することができ、その修理にかかるコストを削減することができる電源制御装置を提供することにある。
【課題を解決するための手段】
【００１０】
上記目的を達成するために、本発明は、少なくとも１つの構成部品と、前記少なくとも１つの構成部品の動作を制御する少なくとも１つの制御基板とを備える装置で用いられる電源制御装置であって、
電源部と、この電源部から出力される電源を、前記少なくとも１つの構成部品の各々および前記少なくとも１つの制御基板の各々に独立に供給する電源基板とを備え、
前記電源基板は、当該電源基板から前記少なくとも１つの制御基板の各々に電源が供給されると、前記少なくとも１つの制御基板の各々から当該電源基板にフィードバックされる、前記少なくとも１つの制御基板の各々で使用される電源の正常状態／異常状態を表す信号に基づいて、当該電源基板から前記構成部品の各々に供給される電源の出力／出力停止を各々独立に制御する出力制御回路を備えていることを特徴とする電源制御装置を提供する。
【００１１】
ここで、前記電源基板は、さらに、前記電源部から出力される電源とは別に、前記電源部から常時出力される補助電源で動作し、前記少なくとも１つの制御基板の各々で使用される電源の正常状態／異常状態を表す信号の状態を含む、前記装置内部の各種の状態を表示する状態表示回路を備えているのが好ましい。
【００１２】
また、本発明は、少なくとも１つの構成部品と、前記少なくとも１つの構成部品の各々の動作を制御する少なくとも１つの制御基板とを備える装置で用いられる電源制御装置であって、
電源部と、この電源部から出力される電源を、前記少なくとも１つの構成部品の各々および前記少なくとも１つの制御基板の各々に独立に供給する電源基板とを備え、
前記電源基板は、前記電源部から出力される電源とは別に、前記電源部から常時出力される補助電源で動作し、当該電源基板から前記少なくとも１つの制御基板の各々に電源が供給されると、前記少なくとも１つの制御基板の各々から当該電源基板にフィードバックされる、前記少なくとも１つの制御基板の各々で使用される電源の正常状態／異常状態を表す信号の状態を含む、前記装置内部の各種の状態を表示する状態表示回路を備えていることを特徴とする電源制御装置を提供する。
【００１３】
ここで、前記状態表示回路は、前記装置内部の各種の状態を所定のカテゴリー別に色分けして表示するものであるのが好ましい。
【００１４】
また、前記装置は、前記構成部品として、画像データに応じて記録媒体を露光処理する露光ユニットと、前記記録媒体の搬送手段を含む、少なくとも１つの機械部品ユニットと、前記露光ユニットによって露光された記録媒体を現像処理する現像ユニットとを備え、前記制御基板として、前記露光ユニットの動作を制御する露光制御基板と、前記少なくとも１つの機械部品ユニットの各々および前記現像ユニットの動作を制御する少なくとも１つの機械部品制御基板とを備え、前記画像データに応じた画像が前記記録媒体上に記録された写真プリントを出力する画像記録装置であるのが好ましい。
【発明の効果】
【００１５】
本発明によれば、ソフトウェアに依存することなく、ハードウェア回路で異常発生を認識し、これに応じて各構成部品への電源の出力を停止するため、電源の異常発生時に、行うべき処理を確実に行うことができる。例えば、ある制御基板の電源に異常が発生した場合、この異常が発生した制御基板により制御される構成部品への電源の出力を停止することによって、構成部品が暴走することを未然に防止し、装置全体の安全性を確保することができる。
【００１６】
また、電源基板は、状態表示回路を備えることによって、電源系統に異常が発生した場合に、異常の発生状態を表示できるため、サービスマンは、その異常に対して行うべき適切な処置を行うことができる。
【００１７】
また、状態表示回路は、たとえ異常が発生しても、補助電源により、その状態表示を行うことができるため、サービスマンは異常発生の原因の概略を特定することができる。従って、その原因の概略に対応する制御基板や、この制御基板によって制御されている構成部品だけを交換すればよいため、サービスマンの作業も軽減されるし、修理に要するコストも削減することができる。
【００１８】
また、状態表示回路において、装置内部の各種の状態を所定のカテゴリー別に色分けして表示することにより、サービスマンは、その状態を容易に認識できるという利点がある。
【発明を実施するための最良の形態】
【００１９】
以下に、添付の図面に示す好適実施形態に基づいて、本発明の電源制御装置を詳細に説明する。
【００２０】
図１は、本発明の電源制御装置を適用する画像記録装置の内部構成を表す一実施形態の概略ブロック図である。同図に示す画像記録装置１０は、画像データに応じた画像を記録媒体（印画紙）Ｓ上に記録するデジタル写真プリンタであって、構成部品として、露光ユニット１２と、機械部品ユニット（以下、メカユニットという）１４と、現像ユニット１６とを備え、制御基板として、露光制御基板１８と、機械部品制御基板（以下、メカ制御基板という）２０とを備え、さらに本発明の電源制御装置２２を備えている。
【００２１】
露光ユニット１２は、画像データに応じて記録媒体Ｓを露光するものである。本実施形態の場合、露光ユニット１２は、画像データに応じて変調された、Ｒ（赤）露光、Ｂ（青）露光、およびＧ（緑）露光に対応する３つのレーザ光源から射出される３本のレーザ光Ｌを主走査方向（図１中紙面に直交する方向）に偏向して、所定の記録位置（露光位置）に入射させることにより、主走査方向と略直交する副走査方向（図１中左側から右側に向かう方向）に搬送される記録媒体Ｓを二次元的に走査露光して画像（潜像）を記録する。
【００２２】
メカユニット１４は、画像記録装置１０内部の各部位に存在する各種の機械部品をまとめて概念的に表したものである。本実施形態の場合、メカユニット１４は、例えば記録媒体Ｓを所定位置に所定のタイミングで搬送するための搬送ローラや、この搬送ローラを駆動するモータなどから構成される記録媒体Ｓの搬送手段の他、各種のセンサ、ソレノイド等を含む。
【００２３】
現像ユニット１６は、露光ユニット１２によって露光された記録媒体Ｓを現像処理するものである。本実施形態の場合、現像ユニット１６は、露光ユニット１２によって露光され、潜像が記録された記録媒体Ｓに対して、発色現像、漂白定着、水洗、乾燥、仕分けなどの各処理を施し、仕上がりプリントとする。
【００２４】
露光制御基板１８は、レーザ光源から射出されるレーザ光Ｌの発光量や、レーザ光源の温調等のように、露光ユニット１２の動作を制御するものである。また、メカ制御基板２０は、メカユニット１４および現像ユニット１６の動作を制御するものである。
【００２５】
電源制御装置２２は、上述する露光ユニット１２、メカユニット１４、現像ユニット１６、露光制御基板１８、メカ制御基板２０を含む、画像記録装置１０内部の各部位への電源の出力／出力停止を制御するものである。これらの露光ユニット１２、メカユニット１４、現像ユニット１６、露光制御基板１８、メカ制御基板２０を含む、画像記録装置１０内部の各部位は、電源制御装置２２から供給される電源で動作する。
【００２６】
画像記録に際して、記録媒体Ｓは、メカ制御基板２０の制御下でメカユニット１４により、記録位置において、副走査方向に所定の速度で搬送される。記録媒体Ｓは、露光制御基板１８の制御下で露光ユニット１２により、主走査方向に偏向された光ビームＬによって二次元的に走査露光され、潜像が記録される。潜像が記録された記録媒体Ｓは、メカ制御基板２０の制御下で現像ユニット１６により、発色現像、漂白定着、水洗、乾燥、仕分けなどの各処理が施され、仕上がりプリントとされる。
【００２７】
なお、露光ユニット１２、メカユニット１４、および現像ユニット１６の具体的な構成は何ら限定されず、各種構成のものが利用可能である。同様に、露光制御基板１８およびメカ制御基板２０の具体的な構成も何ら限定されない。
【００２８】
また、図１では、説明を簡単に行うために、露光ユニット１２、メカユニット１４、現像ユニット１６、露光制御基板１８、メカ制御基板２０、および電源制御装置２２のみを概念的に示しているが、画像記録装置１０は、これら以外の各種の機械部品や制御基板等を備えていてもよい。また、メカユニット１４を複数のメカユニットのグループに分割して、その各々のメカユニットのグループを制御するメカ制御基板を設ける構成としてもよい。
【００２９】
次に、露光制御基板１８およびメカ制御基板２０について説明する。
【００３０】
図２は、露光制御基板の内部電源に関わる構成を表す概略ブロック図である。なお、同図には、説明を簡単に行うために、露光制御基板１８の構成要素として、電源発生回路２４およびＣＰＵ（中央処理装置）２６のみを示しているが、露光制御基板１８は、電源発生回路２４およびＣＰＵ２６以外にも、露光ユニット１２の動作を制御するための各種の構成要素を備えている。
【００３１】
電源発生回路２４は、電源制御装置２２から供給される電源から、露光制御基板１８内部で使用する内部電源を発生するものである。電源発生回路２４によって発生された内部電源はＣＰＵ２６に供給され、ＣＰＵ２６は、この内部電源で動作する。ＣＰＵ２６は、露光制御基板１８の各部位の動作を制御する制御手段である。
【００３２】
また、同図に示すように、露光制御基板１８からは、電源発生回路２４から出力される内部電源がメイン電源として出力され、電源制御装置２２から供給される電源がサブ電源として出力されている。これらのメイン電源およびサブ電源は、露光制御基板１８における電源の状態を表すものであり、後述するように、露光制御基板１８における電源の状態を検出するためのフェイル信号（自己診断信号）として、露光制御基板１８から出力され、電源制御装置２２にフィードバックされる。
【００３３】
すなわち、サブ電源が露光制御基板１８から電源制御装置２２に正しくフィードバックされてくれば、露光制御基板１８には、電源制御装置２２から正常に電源が供給されていると判断できる。また、メイン電源が露光制御基板１８から電源制御装置２２に正しくフィードバックされてくれば、露光制御基板１８の内部電源は正常に発生され、ＣＰＵ２６すなわち露光制御基板１８は正常に動作していると判断できる。
【００３４】
なお、電源発生回路２４の具体的な構成は何ら限定されず、各種構成のものが利用可能である。また、電源発生回路２４およびＣＰＵ２６を除く、露光制御基板１８の具体的な構成も何ら限定されず、各種構成のものが利用可能である。
【００３５】
メカ制御基板２０の内部電源に関わる構成も、図２に示す露光制御基板１８と同じである。従って、電源制御装置２２は、メカ制御基板２０からフィードバックされる、メカ制御基板２０のメイン電源およびサブ電源を監視することによって、メカ制御基板２０の電源状態を把握できる。
【００３６】
次に、図１に示す電源制御装置２２の詳細について説明する。
【００３７】
図３は、電源制御装置の内部構成を表す概略ブロック図である。同図に示すように、電源制御装置２２は、電源部となる２つのスイッチング電源２８，３０（ＰＳ１，ＰＳ２）と、電源基板である制御／配電基板３２とを備えている。
【００３８】
スイッチング電源２８，３０は、ＡＣ（交流）電源から、各種電圧の複数のＤＣ（直流）電源を発生するものである。本実施形態の場合、スイッチング電源２８，３０には２００ＶのＡＣ電源が供給される。そして、スイッチング電源２８からは、ＤＣ電源＋２４Ｖ０〜２、Ｄ＋５Ｖ，Ｄ＋１２Ｖ，Ａ＋２４Ｖ，Ａ＋８Ｖ，Ａ＋１２Ｖ，Ａ−１２Ｖが出力され、スイッチング電源３０からは、ＤＣ電源＋２４Ｖ３〜６が出力される（合計１３チャンネル（ｃｈ）の電源）。
【００３９】
ここで、ＤＣ電源の「Ｄ」および「Ａ」は、これらの電源が、それぞれデジタル系およびアナログ系の部位で使用される電源であることを表す。これらの電源は、画像記録装置１０内部の各部位に供給される。例えば、制御／配電基板３２には、電源＋２５Ｖ５，Ｄ＋５Ｖが供給される。また、露光制御基板１８には、電源Ａ＋２４Ｖ，Ａ＋８Ｖ，Ａ＋１２Ｖ，Ａ−１２Ｖが供給され、メカ制御基板２０には、電源Ｄ＋５Ｖが供給される。
【００４０】
なお、本実施形態の場合、電源部として、２つのスイッチング電源２８，３０を使用しているが、スイッチング電源は１つ以上何個使用してもよい。また、スイッチング電源に限らず、各種の電源を使用してもよい。
【００４１】
制御／配電基板３２は、スイッチング電源２８，３０から供給される複数のＤＣ電源の各々をさらに複数の電源に分配し、分配後の各種電圧の複数の電源の出力／出力停止を制御するものである。本実施形態の場合、制御／配電基板３２は、スイッチング電源２８，３０から供給される１３チャンネルの電源から合計３１チャンネルの電源に分配し、分配後の３１チャンネルの電源について、画像記録装置１０内部の各部位への出力／出力停止を制御する。
【００４２】
電源制御装置２２から出力される電源は、例えば露光ユニット１２、メカユニット１４、現像ユニット１６、露光制御基板１８、メカ制御基板２０というように、各々のブロック毎に独立して供給される（各々のブロック毎に独立して電源の出力／出力停止が可能である）。なお、本実施形態の場合、各種の機械部品をまとめて概念的にメカユニット１４としているが、メカユニット１４の中でも特定の機械部品のグループ毎に独立して電源が供給される。他の構成要素についても同様である。
【００４３】
また、制御／配電基板３２は、図４および図５に示すように、第１および第２の状態表示回路３４，３６を備えている。
【００４４】
第１の状態表示回路３４は、図４に示すように、スイッチング電源２８，３０（ＰＳ１，ＰＳ２）のＡＣ入力のフェイル信号（ｐｓＡＣ＿Ｆａｉｌ）、冷却ファンのアラーム信号（ｐｓＦＡＮ＿ＡＬＭ）、ＤＣ出力のフェイル信号（ｐｓＤＣ＿Ｆａｉｌ）および補助電源（ｐｓＡＵＸ）の状態、スイッチング電源２８，３０から出力される１３チャンネルの電源（＋２４Ｖ０〜６，Ｄ＋１２Ｖ，Ｄ＋５Ｖ，Ａ＋２４Ｖ，Ａ＋８Ｖ，Ａ＋１２Ｖ，Ａ−１２Ｖ）の状態、露光制御基板１８からフィードバックされるフェイル信号（メイン電源（ＲＳ１２Ｖ１ｍ＿Ｆａｉｌ）およびサブ電源（ＲＳ１２Ｖ１ｓ＿Ｆａｉｌ））の状態、メカ制御基板２０からフィードバックされるフェイル信号（メイン電源（ＭＣ５Ｖ１ｍ＿Ｆａｉｌ）およびサブ電源（ＭＣ５Ｖ１ｓ＿Ｆａｉｌ））の状態、露光制御基板１８およびメカ制御基板２０を含む、画像記録装置１０の各部位から供給されるオン／オフ制御信号（＋２４Ｖ１３−ｏｎ／ｏｆｆ，＋２４Ｖ４６−ｏｎ／ｏｆｆ，Ａ＋２４Ｖ−ｏｎ／ｏｆｆ，Ａ＋８Ｖ−ｏｎ／ｏｆｆ）の状態を表示する。
【００４５】
本実施形態の場合、第１の状態表示回路３４は、発光色の異なる複数のＬＥＤ（発光ダイオード）によって構成されている（図４では、発光色をハッチで示す）。緑色のＬＥＤは、スイッチング電源２８，３０から出力される各種電圧の複数の電源の出力状態及び補助電源の状態を表す。点灯は出力、消灯は出力停止を意味する。オレンジ色のＬＥＤは、スイッチング電源２８，３０のＡＣ入力、冷却ファン、ＤＣ出力の状態、露光制御基板１８およびメカ制御基板２０の電源の状態を表す。点灯は正常状態、消灯は異常状態であることを意味する。黄色のＬＥＤは、オン／オフ制御信号の状態及びオン／オフ制御信号により起動されるスイッチング電源２８，３０のＤＣ出力状態を表す。点灯はオン／出力状態、消灯はオフ／出力停止状態であることを意味する。
【００４６】
上記のように、カテゴリー毎にＬＥＤの発光色を変えて、画像記録装置１０内部の各種状態を表示することによって、サービスマンは、その状態を容易に認識できるという利点がある。
【００４７】
第２の状態表示回路３６は、スイッチング電源２８，３０から供給される１３チャンネルの電源が分配され、さらに各々ヒューズを介して出力される３１チャンネルの電源の状態を表示する。
【００４８】
本実施形態の場合、第２の状態表示回路３６は、同じく発光色の異なる複数のＬＥＤによって構成されている。例えば、緑色のＬＥＤは、ＡＣ電源の投入後に無条件で所定の部位に供給される電源であり、点灯は出力、消灯は出力停止を意味する。また、黄色のＬＥＤは、オン／オフ制御信号の状態に応じて供給される電源であって、点灯は出力、消灯は出力停止を意味する。赤色のＬＥＤは、インターロック系の電源であって、点灯は出力を意味し、例えば前面ドアが開いている等の危険状態を検出した時に消灯し、出力停止される。
【００４９】
また、第２の状態表示回路３６のＬＥＤの近傍の基板上には、シルク印刷により発光色情報が記載されている。図５（ａ）〜（ｃ）に示すように、本実施形態の場合、発光色情報がＬＥＤの図中上半分の領域にあると黄色に発光するＬＥＤであり、下半分の領域にあると赤色に発光するＬＥＤであり、上下両方の領域にあると緑色に発光するＬＥＤであることを意味する。この発光色情報によって、ＬＥＤが消灯している時に、その点灯時の発光色が何色なのかを識別できる。
【００５０】
なお、第１および第２の状態表示回路３４，３６では、緑色、オレンジ色、黄色、赤色などの発光色の異なる複数のＬＥＤを用いているが、これに限定されず、１つのＬＥＤが多色に発光するＬＥＤや、ＬＥＤ以外の発光素子を使用することも可能である。また、第１および第２の状態表示回路３４，３６において、どのような情報を表示するかは、適宜決定すればよい。また、第２の状態表示回路３６における発光色情報の表示方法も何ら限定されず、各種の表示方法を利用可能である。
【００５１】
また、電源部は、１つ以上いくつの電源を出力してもよいし、電源基板は、電源部から供給される電源を分配することが必須ではない。例えば、電源基板は、電源部から供給される複数の電源の出力／出力停止だけを制御してもよいし、電源部から供給される１つの電源を複数の電源に分配し、分配された複数の電源の出力／出力停止を制御してもよい。すなわち、電源基板は、各部位に独立に供給される複数の電源の出力／出力停止を制御できればよい。
【００５２】
次に、電源制御装置２２の制御系統について説明する。
【００５３】
図６は、電源制御装置の制御系統を表す概念図である。同図に示すように、スイッチング電源２８，３０からは、各々補助電源ｐｓＡＵＸの他、ＡＣ入力のフェイル信号（エラー信号）ｐｓＡＣ＿Ｆａｉｌ、冷却ファンのアラーム信号ｐｓＦＡＮ＿ＡＬＭ、およびＤＣ出力のフェイル信号ｐｓＤＣ＿Ｆａｉｌが出力されている。
【００５４】
補助電源ｐｓＡＵＸは、スイッチング電源２８，３０にＡＣ電源が供給されると、スイッチング電源２８，３０から出力されるＤＣ電源とは別に常時出力される電源である。本実施形態の場合、２つのスイッチング電源２８，３０の補助電源ｐｓＡＵＸがダイオード３８でＯＲ論理が取られて第１の状態表示回路３４に供給される。すなわち、ＡＣ電源が供給されていれば、２つのスイッチング電源２８，３０の両方が同時に故障しない限り、第１の状態表示回路３４には必ず補助電源ｐｓＡＵＸが供給される。
【００５５】
従って、第１の状態表示回路３４には常に補助電源ｐｓＡＵＸが供給されるため、第１の状態表示回路３４は、たとえ異常が発生して、スイッチング電源２８，３０から全ての電源出力が停止された場合であっても、その状態表示を行うことができ、サービスマンは、異常発生の原因の概略を特定することができる。従って、その原因の概略に対応する制御基板や機械部品だけを交換すればよいため、サービスマンの作業も軽減されるし、修理に要するコストも削減することができる。
【００５６】
また、ＡＣ入力のフェイル信号ｐｓＡＣ＿Ｆａｉｌは、スイッチング電源２８，３０に供給されるＡＣ電源に入力電圧の低下等の異常が発生した場合に出力される信号である。冷却ファンのアラーム信号ｐｓＦＡＮ＿ＡＬＭは、スイッチング電源２８，３０に内蔵されている冷却ファンの回転が停止した場合に出力される信号である。ＤＣ出力のフェイル信号ｐｓＤＣ＿Ｆａｉｌは、スイッチング電源２８，３０から出力されるＤＣ電源の電圧の低下等の異常が発生した場合に出力される信号である。
【００５７】
ＡＣ入力のフェイル信号ｐｓＡＣ＿Ｆａｉｌおよび冷却ファンのアラーム信号ｐｓＦＡＮ＿ＡＬＭは、それぞれスイッチング電源２８，３０から出力されるフェイル信号を必要に応じてＡＮＤ／ＯＲ等の論理制御としてもよい。これらは第１の状態表示回路３４に入力され、その状態が表示される。
【００５８】
一方、ＤＣ出力のフェイル信号ｐｓＤＣ＿Ｆａｉｌは、同じく、それぞれスイッチング電源２８，３０の各ＤＣ出力チャンネルから出力されるフェイル信号の論理制御を行うと同時にＤＣフェイルマスク回路４０に供給される。ＤＣフェイルマスク回路４０は、オン／オフ制御チャンネルに対し、その信号がオフ状態の場合、すなわちスイッチング電源２８，３０からのＤＣ電源の出力を停止した場合にスイッチング電源２８，３０から出力されるＤＣ出力のフェイル信号ｐｓＤＣ＿Ｆａｉｌは異常ではないので、これを無効にするものである。言い換えると、オン／オフ制御信号がオン状態の時だけ、すなわちスイッチング電源２８，３０からＤＣ電源が出力される時だけ、ＤＣ出力のフェイル信号ｐｓＤＣ＿Ｆａｉｌを有効にする。
【００５９】
ＤＣ出力のフェイル信号ｐｓＤＣ＿Ｆａｉｌは、ＤＣフェイルマスク回路４０によってマスク（すなわち、有効／無効が設定）された後、第１の状態表示回路３４に入力され、その状態が表示される。
【００６０】
また、本実施形態の場合、露光制御基板１８およびメカ制御基板２０から、フェイル信号およびオン／オフ制御信号が出力される。なお、説明を容易にするために省略しているが、これらの信号は、画像記録装置１０内部の各部位からも出力される。
【００６１】
既に述べたように、露光制御基板１８およびメカ制御基板２０から出力されるフェイル信号は、制御／配電基板３２から、これらの制御基板に各々供給されるＤＣ電源（サブ電源）、およびこれらの制御基板内部で生成される内部電源（メイン電源）からなる、各々の制御基板から、制御／配電基板３２にフィードバックされる自己診断信号である。すなわち、これらのフェイル信号は、制御基板側の電源が正常状態であるか、異常状態であるかを表す。
【００６２】
本実施形態の場合、露光制御基板１８から、そのメイン電源の状態を表すフェイル信号ＲＳ１２Ｖ１ｍ＿Ｆａｉｌおよびサブ電源の状態を表すフェイル信号ＲＳ１２Ｖ１ｓ＿Ｆａｉｌが出力され、制御／配電基板３２に入力される。また、メカ制御基板２０から、そのメイン電源の状態を表すフェイル信号ＭＣ５Ｖ１ｍ＿Ｆａｉｌおよびサブ電源の状態を表すフェイル信号ＭＣ５Ｖ１ｓ＿Ｆａｉｌが出力され、制御／配電基板３２に入力される。
【００６３】
これらのフェイル信号ＲＳ１２Ｖ１ｍ＿Ｆａｉｌ，ＲＳ１２Ｖ１ｓ＿ＦａｉｌおよびＭＣ５Ｖ１ｍ＿Ｆａｉｌ，ＭＣ５Ｖ１ｓ＿Ｆａｉｌは、それぞれフォトカプラ４２を介して第１の状態表示回路３４に入力される。
【００６４】
オン／オフ制御信号は、スイッチング電源２８，３０からのＤＣ電源の出力／出力停止を制御する信号である。オン／オフ制御信号がオン状態の場合、スイッチング電源２８，３０からは、対応するチャンネル（ｃｈ）のＤＣ電源が出力される。一方、オン／オフ制御信号がオフ状態の場合、スイッチング電源２８，３０からは、対応するチャンネルのＤＣ電源の出力が停止される。
【００６５】
本実施形態の場合、露光制御基板１８から、電源Ａ＋２４Ｖの出力／出力停止を制御するオン／オフ制御信号Ａ＋２４Ｖ−ｏｎ／ｏｆｆ、電源Ａ＋８Ｖの出力／出力停止を制御するオン／オフ制御信号Ａ＋８Ｖ−ｏｎ／ｏｆｆが出力され、制御／配電基板３２に入力される。また、メカ制御基板２０から、電源＋２４Ｖ１〜３の出力／出力停止を制御するオン／オフ制御信号＋２４Ｖ１３−ｏｎ／ｏｆｆ、電源＋２４Ｖ４〜６の出力／出力停止を制御するオン／オフ制御信号＋２４Ｖ４６−ｏｎ／ｏｆｆが出力され、制御／配電基板３２に入力される。
【００６６】
これらのオン／オフ制御信号Ａ＋２４Ｖ−ｏｎ／ｏｆｆ，Ａ＋８Ｖ−ｏｎ／ｏｆｆおよび＋２４Ｖ１３−ｏｎ／ｏｆｆ，＋２４Ｖ４６−ｏｎ／ｏｆｆは、同じくフォトカプラ４２を介して第１の状態表示回路３４に入力され、その状態が表示される。
【００６７】
また、オン／オフ制御信号Ａ＋２４Ｖ−ｏｎ／ｏｆｆ，Ａ＋８Ｖ−ｏｎ／ｏｆｆおよび＋２４Ｖ１３−ｏｎ／ｏｆｆ，＋２４Ｖ４６−ｏｎ／ｏｆｆ、およびメイン電源の状態を表すフェイル信号ＲＳ１２Ｖ１ｍ＿ＦａｉｌおよびＭＣ５Ｖ１ｍ＿Ｆａｉｌは、さらに第１の状態表示回路３４からオン／オフ制御回路４４に入力される。オン／オフ制御回路４４は、フェイル信号ＲＳ１２Ｖ１ｍ＿ＦａｉｌおよびＭＣ５Ｖ１ｍ＿Ｆａｉｌが正常状態を表す時には、オン／オフ制御信号Ａ＋２４Ｖ−ｏｎ／ｏｆｆ，Ａ＋８Ｖ−ｏｎ／ｏｆｆおよび＋２４Ｖ１３−ｏｎ／ｏｆｆ，＋２４Ｖ４６−ｏｎ／ｏｆｆに基づいて、スイッチング電源２８，３０から出力されるＤＣ電源の出力／出力停止を制御する。一方、フェイル信号ＲＳ１２Ｖ１ｍ＿ＦａｉｌおよびＭＣ５Ｖ１ｍ＿Ｆａｉｌが異常状態を表す時には、オン／オフ制御信号Ａ＋２４Ｖ−ｏｎ／ｏｆｆ，Ａ＋８Ｖ−ｏｎ／ｏｆｆおよび＋２４Ｖ１３−ｏｎ／ｏｆｆ，＋２４Ｖ４６−ｏｎ／ｏｆｆの状態に関わらずスイッチング電源２８，３０から出力されるＤＣ電源の出力を停止する（オン／オフ制御信号を強制的にオフ状態にする）。
【００６８】
スイッチング電源２８，３０は、オン／オフ制御回路４４からオン／オフ制御信号Ａ＋２４Ｖ−ｏｎ／ｏｆｆ，Ａ＋８Ｖ−ｏｎ／ｏｆｆおよび＋２４Ｖ１３−ｏｎ／ｏｆｆ，＋２４Ｖ４６−ｏｎ／ｏｆｆを受け取り、対応するチャンネル（ｃｈ）のＤＣ電源を出力する、もしくは出力停止する。スイッチング電源２８，３０から出力されるＤＣ電源は第１の状態表示回路３４に入力され、その状態が表示される。また、スイッチング電源２８，３０から出力されるＤＣ電源は、必要に応じて制御／配電基板３２において分配され、各々ヒューズを介して、露光ユニット１２、メカユニット１４、現像ユニット１６、露光制御基板１８およびメカ制御基板２０を含む、画像記録装置１０内部の各部位に供給される。
【００６９】
前述のＡＣ入力のフェイル信号ｐｓＡＣ＿Ｆａｉｌ、冷却ファンのアラーム信号ｐｓＦＡＮ＿ＡＬＭ、およびＤＣ出力のフェイル信号ｐｓＤＣ＿Ｆａｉｌ、ならびに露光制御基板１８およびメカ制御基板２０の電源のフェイル信号ＲＳ１２Ｖ１ｍ＿Ｆａｉｌ，ＲＳ１２Ｖ１ｓ＿ＦａｉｌおよびＭＣ５Ｖ１ｍ＿Ｆａｉｌ，ＭＣ５Ｖ１ｓ＿Ｆａｉｌは、さらに第１の状態表示回路３４から主制御基板４６に供給される。主制御基板４６は、これらのフェイル信号を受け取り、これらのフェイル信号に基づいて、例えばディスプレイなどの表示装置上に異常内容の情報を表示したり、ネットワークを通じて異常内容の情報を送信したり、画像記録装置１０をシャットダウンするなどの各種の処理を行う。
【００７０】
次に、露光制御基板１８と制御／配電基板３２とのインターフェイス部分の具体的な回路例を挙げて説明する。
【００７１】
図７は、露光制御基板と電源制御装置の制御／配電基板とのインターフェイス部分を表す回路図である。同図に示すように、露光制御基板１８は、制御／配電基板３２から露光制御基板１８に供給される電源Ａ＋２４ＶおよびＡ＋８Ｖの出力／出力停止を制御する電源オン／オフ制御ｉ／ｆ（インターフェイス）回路４８と、露光制御基板１８の電源（メイン電源およびサブ電源）の異常を検出する電源異常状態検出回路５０とを備えている。
【００７２】
露光制御基板１８において、電源オン／オフ制御ｉ／ｆ回路４８および電源異常状態検出回路５０から出力される信号は、出力ドライバとなるバイポーラトランジスタ５２のベースに入力されている。全てのバイポーラトランジスタ５２のエミッタはショートされ、ショートされたエミッタと、各々のバイポーラトランジスタ５２のコレクタが、コネクタ５４を介して制御／配電基板３２の対応する端子と接続されている。なお、バイポーラトランジスタ５２はフォトカプラとしてもよい。
【００７３】
一方、制御／配電基板３２において、露光制御基板１８のバイポーラトランジスタ５２のエミッタに対応する端子はグランドＧＮＤに接続されている。また、各々のバイポーラトランジスタ５２のコレクタに対応する端子は、フォトカプラ５６および抵抗素子５８を介して電源Ｄ＋５Ｖに接続されている。そして、電源オン／オフ制御ｉ／ｆ回路４８に対応するフォトカプラ５６からは、オン／オフ制御信号Ａ＋２４Ｖ−ｏｎ／ｏｆｆおよびＡ＋８Ｖ−ｏｎ／ｏｆｆが出力され、電源異常状態検出回路５０に対応するフォトカプラ５６からは、フェイル信号ＲＳ１２Ｖ１ｍ＿Ｆａｉｌ，ＲＳ１２Ｖ１ｓ＿Ｆａｉｌが出力されている。
【００７４】
例えば、電源オン／オフ制御ｉ／ｆ回路４８から出力される、オン／オフ制御信号Ａ＋２４Ｖ−ｏｎ／ｏｆｆに対応する信号がローレベルになると、この信号に対応するバイポーラトランジスタ５２はオフ状態となる。これに応じて、電源オン／オフ制御ｉ／ｆ回路４８から出力される信号に対応するフォトカプラ５６もオフ状態となる。従って、オン／オフ制御信号Ａ＋２４Ｖ−ｏｎ／ｏｆｆは、図示していないプルアップ抵抗によってプルアップされてハイレベルとなる。
【００７５】
一方、電源オン／オフ制御ｉ／ｆ回路４８から出力される、オン／オフ制御信号Ａ＋２４Ｖ−ｏｎ／ｏｆｆに対応する信号がハイレベルになると、この信号に対応するバイポーラトランジスタ５２はオン状態となる。これに応じて、電源オン／オフ制御ｉ／ｆ回路４８から出力される信号に対応するフォトカプラ５６もオン状態となり、オン／オフ制御信号Ａ＋２４Ｖ−ｏｎ／ｏｆｆは、グランドＧＮＤに接続されてローレベルとなる。
【００７６】
このように、フォトカプラ５６を使用し、信号を受け取る側の基板でオープンコレクタ接続とすることによって、例えば基板同士を接続するコネクタの脱落やケーブルの断線などの異常も検出することが可能となる。
【００７７】
なお、オン／オフ制御信号Ａ＋２４Ｖ−ｏｎ／ｏｆｆに対応する回路の動作を説明したが、オン／オフ制御信号Ａ＋８Ｖ−ｏｎ／ｏｆｆおよびフェイル信号ＲＳ１２Ｖ１ｍ＿Ｆａｉｌ、ＲＳ１２Ｖ１ｓ＿Ｆａｉｌについても同様に動作する。また、露光制御基板１８と制御／配電基板３２とのインターフェイス部分を例に挙げて説明したが、制御／配電基板３２とメカ制御基板２０との接続を含む、基板同士の接続状態も同様の回路構成を採用することができる。
【００７８】
次に、電源制御装置２２の起動時の動作とともに、第１の状態表示回路３４の表示状態を例に挙げて説明する。
【００７９】
ＡＣ電源がスイッチング電源２８，３０に投入されていない状態では、スイッチング電源２８，３０から、全てのＤＣ電源および補助電源は出力されない。この場合、図８に示すように、画像記録装置１０は動作しておらず、第１の状態表示回路３４の全てのＬＥＤは消灯する。
【００８０】
ＡＣ電源が投入されると、スイッチング電源２８，３０から、電源Ｄ＋１２Ｖ，Ａ＋１２Ｖ，Ａ−１２Ｖ，Ｄ＋５Ｖ，＋２４Ｖ０が出力される。これらの電源は、ＡＣ電源が投入されると、スイッチング電源２８から無条件で出力される電源であり、制御／配電基板３２に供給され、さらに制御／配電基板３２によって分配された電源が露光制御基板１８、メカ制御基板２０等に供給される。これにより、制御／配電基板３２、露光制御基板１８、メカ制御基板２０等は、他の電源を必要としない部位が動作可能な状態となる。
【００８１】
また、ＡＣ電源が投入されると、スイッチング電源２８，３０から、補助電源ｐｓＡＵＸが出力される。補助電源ｐｓＡＵＸは第１の状態表示回路３４に供給され、第１の状態表示回路３４は動作可能となる。また、ＡＣ電源が投入されると、ＡＣ電源のフェイル信号ｐｓＡＣ＿Ｆａｉｌ、冷却ファンのアラーム信号ｐｓＦＡＮ＿ＡＬＭ、およびＤＣ出力のフェイル信号ｐｓＤＣ＿Ｆａｉｌが出力される。本実施形態では、電源制御装置２２の起動が終了するまでの間、全てのフェイル信号は正常状態であるとして説明を続ける。
【００８２】
この時、第１の状態表示回路３４では、図９に示すように、電源Ｄ＋１２Ｖ，Ａ＋１２Ｖ，Ａ−１２Ｖ，Ｄ＋５Ｖ，＋２４Ｖ０、および補助電源ｐｓＡＵＸに対応するＬＥＤが緑色に発光する。また、ＡＣ電源のフェイル信号ｐｓＡＣ＿Ｆａｉｌ、冷却ファンのアラーム信号ｐｓＦＡＮ＿ＡＬＭ、およびＤＣ出力のフェイル信号ｐｓＤＣ＿Ｆａｉｌに対応するＬＥＤがオレンジ色に発光する。
【００８３】
続いて、メカ制御基板２０から、オン／オフ制御信号＋２４Ｖ４６−ｏｎ／ｏｆｆおよび＋２４Ｖ１３−ｏｎ／ｏｆｆとしてオン状態の信号がほぼ同時に出力され、制御／配電基板３２に入力される。
【００８４】
オン／オフ制御信号＋２４Ｖ４６−ｏｎ／ｏｆｆとしてオン状態の信号が制御／配電基板３２に入力されると、スイッチング電源３０から、電源＋２４Ｖ４，＋２４Ｖ５，＋２４Ｖ６が出力される。電源＋２４Ｖ５は、インターロック系の電源であり、これによりインターロックの制御が有効となる。この時、第１の状態表示回路３４では、図１０（ａ）に示すように、オン／オフ制御信号＋２４Ｖ４６−ｏｎ／ｏｆｆに対応するＬＥＤと、電源＋２４Ｖ４，＋２４Ｖ５，＋２４Ｖ６に対応するＬＥＤが黄色に発光する。
【００８５】
また、オン／オフ制御信号＋２４Ｖ１３−ｏｎ／ｏｆｆとしてオン状態の信号が制御／配電基板３２に入力されると、スイッチング電源２８から、電源＋２４Ｖ１，＋２４Ｖ２が出力され、スイッチング電源３０から、電源＋２４Ｖ３が出力される。この時、第１の状態表示回路３４では、図１０（ｂ）に示すように、オン／オフ制御信号＋２４Ｖ１３−ｏｎ／ｏｆｆに対応するＬＥＤと、電源＋２４Ｖ１，＋２４Ｖ２，＋２４Ｖ３に対応するＬＥＤが黄色に発光する。
【００８６】
続いて、露光制御基板１８から、オン／オフ制御信号Ａ＋８Ｖ−ｏｎ／ｏｆｆおよびＡ＋２４Ｖ−ｏｎ／ｏｆｆとして、オン状態の信号がほぼ同時に出力され、制御／配電基板３２に入力される。
【００８７】
オン／オフ制御信号Ａ＋８Ｖ−ｏｎ／ｏｆｆとして、オン状態の信号が制御／配電基板３２に入力されると、スイッチング電源２８から、電源Ａ＋８Ｖが出力される。この時、第１の状態表示回路３４では、図１１（ａ）に示すように、オン／オフ制御信号Ａ＋８Ｖ−ｏｎ／ｏｆｆに対応するＬＥＤと、電源Ａ＋８Ｖに対応するＬＥＤが黄色に発光する。
【００８８】
また、オン／オフ制御信号Ａ＋２４Ｖ−ｏｎ／ｏｆｆとして、オン状態の信号が制御／配電基板３２に入力されると、スイッチング電源２８から電源Ａ＋２４Ｖが出力される。この時、第１の状態表示回路３４では、図１１（ｂ）に示すように、オン／オフ制御信号Ａ＋２４Ｖ−ｏｎ／ｏｆｆに対応するＬＥＤと、電源Ａ＋２４Ｖに対応するＬＥＤが黄色に発光する。
【００８９】
上記電源Ａ＋８ＶおよびＡ＋２４Ｖは、露光ユニット１２のレーザ光源を制御するための電源である。
【００９０】
以上で、電源制御装置２２の起動時の動作は終了である。
【００９１】
すなわち、露光制御基板１８は、図１２（ａ）に示すように、電源Ａ＋１２ＶおよびＡ−１２Ｖが出力されて、これらに対応するＬＥＤが点灯し、かつフェイル信号ＲＳ１２Ｖ１ｍ＿ＦａｉｌおよびＲＳ１２Ｖ１ｓ＿Ｆａｉｌが正常状態となって、これらに対応するＬＥＤが点灯している時に（電源Ａ＋１２ＶおよびＡ−１２Ｖとフェイル信号ＲＳ１２Ｖ１ｍ＿ＦａｉｌおよびＲＳ１２Ｖ１ｓ＿ＦａｉｌとのＡＮＤ条件）、オン／オフ制御信号Ａ＋２４Ｖ−ｏｎ／ｏｆｆがオン状態となって、これに対応するＬＥＤが点灯すると、電源Ａ＋２４Ｖが出力されて、これに対応するＬＥＤが点灯する。これに対し、オン／オフ制御信号Ａ＋２４Ｖ−ｏｎ／ｏｆｆがオフ状態となって、これに対応するＬＥＤが消灯すると、電源Ａ＋２４Ｖの出力が停止されて、これに対応するＬＥＤも消灯する（フェイル信号ＲＳ１２Ｖ１ｍ＿ＦａｉｌおよびＲＳ１２Ｖ１ｓ＿Ｆａｉｌとオン／オフ制御信号Ａ＋２４Ｖ−ｏｎ／ｏｆｆとのＯＲ条件）。また、オン／オフ制御信号Ａ＋８Ｖ−ｏｎ／ｏｆｆがオン状態となって、これに対応するＬＥＤが点灯すると、電源Ａ＋８Ｖが出力されて、これに対応するＬＥＤが点灯する。これに対し、オン／オフ制御信号Ａ＋８Ｖ−ｏｎ／ｏｆｆがオフ状態となって、これに対応するＬＥＤが消灯すると、電源Ａ＋８Ｖの出力が停止されて、これに対応するＬＥＤも消灯する（フェイル信号ＲＳ１２Ｖ１ｍ＿ＦａｉｌおよびＲＳ１２Ｖ１ｓ＿Ｆａｉｌとオン／オフ制御信号Ａ＋８Ｖ−ｏｎ／ｏｆｆとのＯＲ条件）。
【００９２】
同様に、メカ制御基板２０は、図１２（ｂ）に示すように、電源Ｄ＋５Ｖが出力されて、これに対応するＬＥＤが点灯し、かつフェイル信号ＭＣ５Ｖ１ｍ＿ＦａｉｌおよびＭＣ５Ｖ１ｓ＿Ｆａｉｌが正常状態となって、これらに対応するＬＥＤが点灯している時に（電源Ｄ＋５Ｖとフェイル信号ＭＣ５Ｖ１ｍ＿ＦａｉｌおよびＭＣ５Ｖ１ｓ＿ＦａｉｌとのＡＮＤ条件）、オン／オフ制御信号＋２４Ｖ１３−ｏｎ／ｏｆｆがオン状態となって、これに対応するＬＥＤが点灯すると、電源＋２４Ｖ１〜３が出力されて、これらに対応するＬＥＤが点灯する。これに対し、オン／オフ制御信号＋２４Ｖ１３−ｏｎ／ｏｆｆがオフ状態となって、これに対応するＬＥＤが消灯すると、電源＋２４Ｖ１〜３の出力が停止されて、これらに対応するＬＥＤも消灯する（フェイル信号ＭＣ５Ｖ１ｍ＿ＦａｉｌおよびＭＣ５Ｖ１ｓ＿Ｆａｉｌとオン／オフ制御信号＋２４Ｖ１３−ｏｎ／ｏｆｆとのＯＲ条件）。また、オン／オフ制御信号＋２４Ｖ４６−ｏｎ／ｏｆｆがオン状態となって、これに対応するＬＥＤが点灯すると、電源＋２４Ｖ４〜６が出力されて、これらに対応するＬＥＤが点灯する。これに対し、オン／オフ制御信号＋２４Ｖ４６−ｏｎ／ｏｆｆがオフ状態となって、これに対応するＬＥＤが消灯すると、電源＋２４Ｖ４〜６の出力が停止されて、これらに対応するＬＥＤも消灯する（フェイル信号ＭＣ５Ｖ１ｍ＿ＦａｉｌおよびＭＣ５Ｖ１ｓ＿Ｆａｉｌとオン／オフ制御信号＋２４Ｖ４６−ｏｎ／ｏｆｆとのＯＲ条件）。
【００９３】
なお、上記は、本実施形態における電源制御装置２２の起動時の動作であって、本発明の電源制御装置の起動時の動作は、これに限定されるわけではい。また、次に述べる異常発生時の動作も一例であって、これに限定されるわけではない。
【００９４】
次に、異常が発生した場合の電源制御装置２２の動作とともに、第１の状態表示回路３４の表示状態を説明する。まず、一例として、メカ制御基板２０の電源に異常が発生した場合の動作を説明する。
【００９５】
図１３は、メカ制御基板の電源に異常が発生した場合の動作を表すタイミングチャートである。同図に示すタイミングチャートにおいて、Ｄ＋５Ｖは、図９に示すように、ＡＣ電源が投入されると無条件でスイッチング電源２８から出力され、さらに制御／配電基板３２を介してメカ制御基板２０に供給される電源である。また、ＭＣ５Ｖ１ｍ＿Ｆａｉｌは、メカ制御基板２０から出力され、制御／配電基板３２にフィードバックされるフェイル信号（メイン電源）である。
【００９６】
図１３のタイミングチャートに示すように、例えばフェイル信号ＭＣ５Ｖ１ｍ＿Ｆａｉｌとして異常状態の信号（タイミングチャートではローレベル）が制御／配電基板３２にフィードバックされると、制御／配電基板３２は、メカ制御基板２０の電源に異常が発生したことを認識して、スイッチング電源２８から、電源＋２４Ｖ１〜２の出力を停止し、かつスイッチング電源３０から、電源＋２４Ｖ３〜６の出力を停止する。
【００９７】
この時、第１の状態表示回路３４において、図１４に示すように、フェイル信号ＭＣ５Ｖ１ｍ＿Ｆａｉｌに対応するＬＥＤが消灯する。また、オン／オフ制御信号＋２４Ｖ１３−ｏｎ／ｏｆｆおよび＋２４Ｖ４６−ｏｎ／ｏｆｆの状態に関わらず、電源＋２４Ｖ１〜６に対応するＬＥＤが消灯する。
【００９８】
また、電源Ｄ＋５Ｖとして異常状態の信号（タイミングチャートではローレベル）がメカ制御基板２０に供給された場合も、制御／配電基板３２は、フェイル信号ＭＣ５Ｖ１ｍ＿Ｆａｉｌとして異常状態の信号がフィードバックされた場合と同様に動作する。
【００９９】
電源＋２４Ｖ１〜６は、メカユニット１４の各機械部品等に供給される電源である。メカユニット１４の動作を制御するメカ制御基板２０の電源に異常が発生した場合、メカ制御基板２０がメカユニット１４を制御できない状態である可能性が高い。従って、メカユニット１４に供給される電源＋２４Ｖ１〜６の出力を停止することによって、メカユニット１４が暴走することを未然に防止し、画像記録装置１０全体の安全性を確保することができる。
【０１００】
また、電源制御装置２２は、ソフトウェアに依存することなく、ハードウェア回路で異常発生を認識し、これに応じて電源の出力を停止するなどの処理を行うため、異常発生時に、行うべき処理（電源の出力停止等）を確実に行うことができる。
【０１０１】
次に、露光制御基板１８の電源に異常が発生した場合の動作を説明する。
【０１０２】
図１５は、露光制御基板の電源に異常が発生した場合の動作を表すタイミングチャートである。同図に示すタイミングチャートにおいて、Ａ＋１２Ｖは、図９に示すように、ＡＣ電源が投入されると無条件でスイッチング電源２８から出力され、さらに制御／配電基板３２を介して露光制御基板１８に供給される電源である。また、ＲＳ１２Ｖ１ｍ＿Ｆａｉｌは、露光制御基板１８から出力され、制御／配電基板３２にフィードバックされるフェイル信号（メイン電源）である。
【０１０３】
図１５のタイミングチャートに示すように、フェイル信号ＲＳ１２Ｖ１ｍ＿Ｆａｉｌとして異常状態の信号（タイミングチャートではローレベル）が制御／配電基板３２にフィードバックされると、制御／配電基板３２は、露光制御基板１８の電源に異常が発生したことを認識して、スイッチング電源２８から、電源Ａ＋２４ＶおよびＡ＋８Ｖ、すなわちレーザ光源を制御するための電源の出力を停止する。
【０１０４】
この時、第１の状態表示回路３４において、図１６に示すように、フェイル信号ＲＳ１２Ｖ１ｍ＿Ｆａｉｌに対応するＬＥＤが消灯する。また、オン／オフ制御信号Ａ＋２４Ｖ−ｏｎ／ｏｆｆおよびＡ＋８Ｖ−ｏｎ／ｏｆｆの状態に関わらず、電源Ａ＋２４ＶおよびＡ＋８Ｖに対応するＬＥＤが消灯する。
【０１０５】
また、電源Ａ＋１２Ｖとして異常状態の信号（タイミングチャートではローレベル）が露光制御基板１８に供給されると、露光制御基板１８から出力されるメイン電源およびサブ電源はともにその出力が停止される。このため、フェイル信号ＲＳ１２Ｖ１ｍ＿Ｆａｉｌとして異常状態の信号が制御／配電基板３２にフィードバックされた場合の動作に加えて、さらにフェイル信号ＲＳ１２Ｖ１ｓ＿Ｆａｉｌに対応するＬＥＤが消灯する。
【０１０６】
電源Ａ＋２４ＶおよびＡ＋８Ｖは、前述の通り、露光ユニット１２のレーザ光源を制御するための電源である。露光ユニット１２の動作を制御する露光制御基板１８の電源に異常が発生した場合、露光制御基板１８が露光ユニット１２を制御できない状態である可能性が高い。従って、電源Ａ＋２４ＶおよびＡ＋８Ｖの出力を停止することによって、露光ユニット１２が暴走することを未然に防止し、画像記録装置１０全体の安全性を確保することができる。
【０１０７】
また、上記の通り、電源制御装置２２は、電源系統に異常が発生した場合に、異常が発生したことを認識できる。このため、例えば露光制御基板１８のみに異常が発生し、メカ制御基板２０が正常に動作する場合、その時点でプリント中の不具合のある印画紙を排出することができる。従って、画像記録装置１０が正常状態に復帰した後に、異常発生時に処理していた画像を再プリントすることができるので、不具合のある写真プリントが作成されることを防止できる。
【０１０８】
また、電源制御装置２２は、電源系統に異常が発生したことを認識できるため、プリント中に発生する異常だけでなく、画像記録装置１０とその入力機との通信中に発生する異常など、各種の状況で発生する異常に対しても適切に対応することが可能となる。ここで、入力機は、例えば透過原稿や反射原稿に記録された画像データを読み取って画像データを生成したり、画像データに各種の画像処理を施して画像記録装置１０に供給するための制御装置である。
【０１０９】
上記と同様の理由により、写真プリントの作成を依頼するために、顧客が所有する画像データを受け取り、ネットワークを介して画像データを写真プリントの作成業者の所有するサーバに送信する写真プリントの受付機において、顧客の所有する画像データが記憶された携帯電話と写真プリント受付機との通信中に発生する異常、同記録メディアからの画像データのリード中に発生する異常、ネットワーク経由での画像データの転送中に発生する異常などにも適切に対応可能となる。
【０１１０】
また、写真プリントを作成するために、顧客が所有する画像データを受け取って写真プリントを作成するセルフプリント機能付の写真プリント受付機においても同様に、携帯電話とセルフプリント機能付の写真プリント受付機との通信中に発生する異常、記録メディアからの画像データのリード中に発生する異常、プリント中に発生する異常などに適切に対応可能となる。また、ＣＤ−Ｒ等の記録メディアへの書込機においても、記録メディアへの書込中に発生する異常などにも適切に対応可能となる。
【０１１１】
また、本発明の電源制御装置は、上記デジタル写真プリンタ、写真プリントの受付機、セルフプリント機能付の写真プリント受付機、画像データの記録メディアへの書込機等の装置に限定されることなく、電源を内蔵し、この電源で動作する、少なくとも１つの構成部品と、各々の構成部品の動作を制御する少なくとも１つの制御基板とを備える各種の装置に適用可能である。
【０１１２】
本発明は、基本的に以上のようなものである。
以上、本発明の電源制御装置について詳細に説明したが、本発明は上記実施形態に限定されず、本発明の主旨を逸脱しない範囲において、種々の改良や変更をしてもよいのはもちろんである。
【図面の簡単な説明】
【０１１３】
【図１】本発明の電源制御装置を適用する画像記録装置の内部構成を表す位置実施形態の概略ブロック図である。
【図２】露光制御基板の内部電源に関わる構成を表す概略ブロック図である。
【図３】電源制御装置の内部構成を表す概略ブロック図である。
【図４】第１の状態表示回路の構成を表す概略図である。
【図５】（ａ）,（ｂ）および（ｃ）は、 第２の状態表示回路の構成を表す概略図である。
【図６】電源制御装置の制御系統を表す概念図である。
【図７】露光制御基板と電源制御装置の制御／配電基板とのインターフェイス部分を表す回路図である。
【図８】第１の状態表示回路における表示状態を表す概略図である。
【図９】第１の状態表示回路における表示状態を表す概略図である。
【図１０】（ａ）および（ｂ）は、第１の状態表示回路における表示状態を表す概略図である。
【図１１】（ａ）および（ｂ）は、第１の状態表示回路における表示状態を表す概略図である。
【図１２】（ａ）および（ｂ）は、第１の状態表示回路において、それぞれ露光制御基板およびメカ制御基板から出力されるオン／オフ制御信号に応じた表示状態の変化を表す概略図である。
【図１３】メカ制御基板の電源に異常が発生した場合の動作を表すタイミングチャートである。
【図１４】第１の状態表示回路における表示状態を表す概略図である。
【図１５】露光制御基板の電源に異常が発生した場合の動作を表すタイミングチャートである。
【図１６】第１の状態表示回路における表示状態を表す概略図である。
【符号の説明】
【０１１４】
１０  画像記録装置
１２  露光ユニット
１４  メカユニット
１６  現像ユニット
１８  露光制御基板
２０  メカ制御基板
２２  電源制御装置
２４  電源発生回路
２６  ＣＰＵ
２８，３０  スイッチング電源
３２  制御／配電基板
３４，３６  状態表示回路
３８  ダイオード
４０  ＤＣフェイルマスク回路
４２  フォトカプラ
４４  オン／オフ制御回路
４６  主制御基板
４８  電源オン／オフ制御ｉ／ｆ回路
５０  電源異常状態検出回路
５２  バイポーラトランジスタ
５４  コネクタ
５６  フォトカプラ
５８  抵抗素子
【図１】
2006035743.tif 000003
【図２】
2006035743.tif 000004
【図３】
2006035743.tif 000005
【図４】
2006035743.tif 000006
【図５】
2006035743.tif 000007
【図６】
2006035743.tif 000008
【図７】
2006035743.tif 000009
【図８】
2006035743.tif 000010
【図９】
2006035743.tif 000011
【図１０】
2006035743.tif 000012
【図１１】
2006035743.tif 000013
【図１２】
2006035743.tif 000014
【図１３】
2006035743.tif 000015
【図１４】
2006035743.tif 000016
【図１５】
2006035743.tif 000017
【図１６】
2006035743.tif 000018